(57)【要約】【課題】針先をケース内に確実に収容しつつ、使用者の不快感を軽減した医療用針を提供する。【解決手段】医療用針１は、先端に針先１４を有する針部１０と、先端から針部１０を露出可能で、かつ、針部１０を収容可能に構成されたケース３０と、ケース３０から針先１４が所定の長さ突出する第１位置から、ケース３０内に針先１４が収容される第２位置まで、ケース３０内で針部１０を移動させるバネ６０を有する移動機構５０と、移動機構５０におけるケース３０との対向部に設けられた湾曲部９０とを備える。【選択図】図４
2019155097.tif 000002
【特許請求の範囲】
【請求項１】
先端に針先を有する針部と、
先端から前記針部を露出可能で、かつ、前記針部を収容可能に構成されたケースと、
前記ケースから前記針先が所定の長さ突出する第１位置から、前記ケース内に前記針先が収容される第２位置まで、前記ケース内で前記針部を移動させる弾性部材を有する移動機構と、
前記移動機構における前記ケースとの対向部、前記針部における前記ケースとの対向部、及び、前記ケースにおける前記移動機構又は前記針部との対向部のうち、少なくとも１つの対向部に設けられ、前記ケース、前記移動機構又は前記針部と接触することにより湾曲する湾曲部と、を備える、
医療用針。
【請求項２】
前記弾性部材は、バネである、
請求項１に記載の医療用針。
【請求項３】
前記移動機構は、
操作部と、
前記操作部を前記針部に固定する固定部と、をさらに有し、
前記ケースは、
前記針部が前記第１位置に位置している状態で、前記操作部を係合させる第１係合部と、
前記針部が前記第２位置に位置している状態で、前記操作部を係合させる第２係合部と、を有し、
前記操作部と前記第１係合部との係合を解除すると、前記弾性部材によって前記針部が前記第１位置から前記第２位置へと移動し、前記操作部が前記第２係合部と係合するように構成されている、
請求項１に記載の医療用針。
【請求項４】
前記操作部は、前記ケースの長手方向に沿って延びており、
前記操作部の一方端には、前記第１係合部及び前記第２係合部と係合可能な凸部が設けられ、
前記操作部の他方端には、前記湾曲部が配置され、
前記操作部は、前記湾曲部が前記ケースと接触することにより、前記凸部が前記ケースの内面に向けて変位可能に構成されている、
請求項３に記載の医療用針。
【請求項５】
先端に針先を有する針部と、
先端から前記針部を露出可能で、かつ、前記針部を収容可能に構成されたケースと、
前記ケースから前記針先が所定の長さ突出する第１位置から、前記ケース内に前記針先が収容される第２位置まで、前記ケース内で前記針部を移動させる弾性部材を有する移動機構と、
前記移動機構における前記ケースとの対向部、前記針部における前記ケースとの対向部、及び、前記ケースにおける前記移動機構又は前記針部との対向部のうち、少なくとも１つの対向部に設けられた、他の弾性部材と、を備える、
医療用針。
【発明の詳細な説明】
【技術分野】
【０００１】
本発明は、医療用針に関する。
【背景技術】
【０００２】
採血、輸血、輸液等に用いられる医療用針として、従来、筒状ケースの内部にバネ部材が配設された医療用針が知られている（例えば、特許文献１参照。）。従来の医療用針によれば、ケースから露出させた状態の針先を、バネ部材の作用によってケース内に収容することができるため、医療用針を使用する者（医療従事者及び患者本人を含む。以下、使用者という。）が誤って使用後の医療用針を自分に刺してしまう事故（いわゆる誤刺）の発生を防止することができる。
【先行技術文献】
【特許文献】
【０００３】
【特許文献１】特表２００２−５３９８９７号公報
【発明の概要】
【発明が解決しようとする課題】
【０００４】
ところで、従来の医療用針においては、針先をケース内に確実に収容するために、バネ部材として比較的強い反発力を有するバネを用いる場合がある。その場合、針先をケース内に確実に収容することが可能となる一方、ケース内に収容した針又は針の接続部分が勢いよくケース内面と接触することにともなって、比較的強い衝撃や衝突音が発生してしまい、使用者に不快感を与えることが懸念される。
【０００５】
そこで、本発明は、このような問題を解決するためになされたもので、針先をケース内に確実に収容しつつ、使用者の不快感を軽減した医療用針を提供することを目的とする。
【課題を解決するための手段】
【０００６】
（１）本発明の医療用針は、先端に針先を有する針部と、先端から前記針部を露出可能で、かつ、前記針部を収容可能に構成されたケースと、前記ケースから前記針先が所定の長さ突出する第１位置から、前記ケース内に前記針先が収容される第２位置まで、前記ケース内で前記針部を移動させる弾性部材を有する移動機構と、前記移動機構における前記ケースとの対向部、前記針部における前記ケースとの対向部、及び、前記ケースにおける前記移動機構又は前記針部との対向部のうち、少なくとも１つの対向部に設けられ、前記ケース、前記移動機構又は前記針部と接触することにより湾曲する湾曲部と、を備えることを特徴とする。
【０００７】
（２）本発明の医療用針においては、前記弾性部材は、バネであることが好ましい。
【０００８】
（３）本発明の医療用針においては、前記移動機構は、操作部と、前記操作部を前記針部に固定する固定部と、をさらに有し、前記ケースは、前記針部が前記第１位置に位置している状態で、前記操作部を係合させる第１係合部と、前記針部が前記第２位置に位置している状態で、前記操作部を係合させる第２係合部と、を有し、前記操作部と前記第１係合部との係合を解除すると、前記弾性部材によって前記針部が前記第１位置から前記第２位置へと移動し、前記操作部が前記第２係合部と係合するように構成されていることが好ましい。
【０００９】
（４）本発明の医療用針においては、前記操作部は、前記ケースの長手方向に沿って延びており、前記操作部の一方端には、前記第１係合部及び前記第２係合部と係合可能な凸部が設けられ、前記操作部の他方端には、前記湾曲部が配置され、前記操作部は、前記湾曲部が前記ケースと接触することにより、前記凸部が前記ケースの内面に向けて変位可能に構成されていることが好ましい。
【００１０】
（５）本発明の他の医療用針は、先端に針先を有する針部と、先端から前記針部を露出可能で、かつ、前記針部を収容可能に構成されたケースと、前記ケースから前記針先が所定の長さ突出する第１位置から、前記ケース内に前記針先が収容される第２位置まで、前記ケース内で前記針部を移動させる弾性部材を有する移動機構と、前記移動機構における前記ケースとの対向部、前記針部における前記ケースとの対向部、及び、前記ケースにおける前記移動機構又は前記針部との対向部のうち、少なくとも１つの対向部に設けられた、他の弾性部材を備えることを特徴とする。
【００１１】
上記（５）に記載した本発明の他の医療用針においても、上記（２）〜（４）に記載した本発明の医療用針と同様の特徴を採用することができる。
【発明の効果】
【００１２】
本発明の医療用針によれば、上記の湾曲部を備えているため、弾性部材として比較的強い反発力を有するバネを用いたとしても、ケースと移動機構又は針部との接触による衝撃を緩和することができ、衝突音の発生を抑制することが可能となる。
また、本発明の他の医療用針によれば、上記の他の弾性部材を備えているため、弾性部材として比較的強い反発力を有するバネを用いたとしても、ケースと移動機構又は針部との接触による衝撃を緩和することができ、衝突音の発生を抑制することが可能となる。
すなわち、本発明の医療用針及び本発明の他の医療用針は、針先をケース内に確実に収容しつつ、使用者の不快感を軽減した医療用針となる。
【図面の簡単な説明】
【００１３】
【図１】図１は、医療用針１の全体斜視図である。
【図２】図２は、キャップ２０を取り外した状態の、医療用針１の全体斜視図である。
【図３】図３は、図２に示す医療用針１の平面図である。
【図４】図４は、図３に示す医療用針１のＡ−Ａ線断面図である。
【図５】図５は、針部１０をケース３０に収容した状態の、医療用針１の全体斜視図である。
【図６】図６は、図５に示す医療用針１の平面図である。
【図７】図７は、図６に示す医療用針１のＢ−Ｂ線断面図である。
【図８】図８Ａ〜図８Ｃは、ベース部３２を説明するために示す図である。図８Ａはベース部３２の平面図であり、図８Ｂは図８Ａに示すベース部３２のＣ−Ｃ線断面図であり、図８Ｃは図８Ａに示すベース部３２のＤ−Ｄ線断面図である。
【図９】図９Ａ〜図９Ｃは、操作部７０及び湾曲部９０を説明するために示す図である。図９Ａは、操作部７０及び湾曲部９０の斜視図であり、図９Ｂは、操作部７０及び湾曲部９０の左側面図（図９Ａに示すＸ方向から見た図）であり、図９Ｃは、図９Ｂに示す操作部７０及び湾曲部９０のＥ−Ｅ線断面図である。
【図１０】図１０Ａ〜図１０Ｃは、固定部８０を説明するために示す図である。図１０Ａは、固定部８０の斜視図であり、図１０Ｂは、固定部８０の左側面図（図１０Ａに示すＸ方向から見た図）であり、図１０Ｃは、図１０Ｂに示す固定部８０のＦ−Ｆ線断面図である。
【図１１】図１１Ａ、図１１Ｂは、針部１０と移動機構５０との接続構造を説明するために示す図である。図１１Ａは、針部１０に装着された移動機構５０の斜視図であり、図１１Ｂは、針部１０が第１位置に存在するときの、移動機構５０の周辺部分の内部構造を示す図である。
【図１２】図１２Ａ、図１２Ｂは、変形例に係る医療用針１Ａを説明するために示す図である。図１２Ａは、針部１０が第１位置にあるときの、医療用針１Ａの内部構造を示す断面図であり、図１２Ｂは、針部１０が第２位置にあるときの、医療用針１Ａの内部構造を示す断面図である。
【図１３】図１３Ａ、図１３Ｂは、他の実施形態に係る医療用針１Ｂを説明するために示す図である。図１３Ａは、キャップ２０Ｂを嵌めた状態の、医療用針１Ｂの断面図であり、図１３Ｂは、キャップ２０Ｂを取り外した状態の、医療用針１Ｂの断面図である。
【発明を実施するための形態】
【００１４】
以下、本発明の医療用針について、図に示す実施の形態に基づいて説明する。
【００１５】
［実施形態］
まず、実施形態に係る医療用針１の全体構成と各部材の構成について、図１〜図１１を用いて説明する。
【００１６】
なお、以下の説明において、図２〜図４に示すように、ケース３０から針先１４が所定の長さ突出する位置を「第１位置」といい、図５〜図７に示すように、ケース３０内に針先１４が収容される位置を「第２位置」という。
また、図３に示す医療用針１において、針先１４側を「先端側」といい、カバー部３４側を「基端側」という。
【００１７】
実施形態に係る医療用針１は、図１〜図４に示すように、針部１０と、針部１０を覆うキャップ２０と、針部１０を収容可能に構成されたケース３０と、ケース３０の先端部に設けられた翼部４０と、針部１０をケース３０の内部に収容するための移動機構５０と、移動機構５０の一部に設けられた湾曲部９０とを備えている。
医療用針１は、例えば、採血、輸血、輸液等に際し、患者の皮膚に穿刺した状態で固定して使用される翼付針である。
【００１８】
針部１０は、中空の円管からなる針管１２と、針管１２の先端に位置する針先１４とを有する。針部１０は、例えば、ステンレス鋼、アルミニウム、アルミニウム合金、チタン、チタン合金等の金属材料で構成されている。針管１２の基端部（針先とは反対側の端部）は、図示しないチューブと接続されている。
【００１９】
使用前の医療用針１には、図１に示すように、キャップ２０が装着されている。キャップ２０は、針部１０を覆った状態でケース３０の先端部に嵌合可能で、かつ、ケース３０の先端部から取り外し可能に構成されている。
【００２０】
ケース３０は、図２〜図７に示すように、両端が開口した筒状のベース部３２と、ベース部３２の基端側の開口に嵌合可能に構成されたカバー部３４とを有する。
【００２１】
ベース部３２の先端には、図５に示すように、例えば円形の開口３３が設けられている。開口３３の開口径は、針管１２の外径よりも若干大きく設定されており、開口３３を通じて針部１０を露出可能に構成されている。また、図４に示すように、ベース部３２の内部には、針部１０を収容するためのスペースとなる空間が、ベース部３２の長手方向に沿って形成されており、ベース部３２内に針部１０を収容可能に構成されている（図７参照）。
【００２２】
ベース部３２の先端側の外面には、図８Ａ〜図８Ｃに示すように、針部１０が第１位置に存在するときに、後述する操作部７０の凸部７６と係合する第１係合部３６が設けられている。第１係合部３６は、例えば、ベース部３２の内部空間と連通する角孔である。また、ベース部３２の基端側（先端部とは反対側）の内面には、針部１０が第２位置に存在するときに、操作部７０の凸部７６と係合する第２係合部３８が設けられている。第２係合部３８は、例えば、ベース部３２の内面に設けられた段差であり、ベース部３２の先端側から基端側に向けて、ベース部３２の内面位置が高くなるように設定された段差である。
【００２３】
カバー部３４には、針部１０に接続されたチューブ（図示せず。）を通すための開口３５が設けられている（図４参照）。
【００２４】
翼部４０は、図２に示すように、ベース部３２の先端部における両側面にそれぞれ接続配置された一対の翼部材であって、把持部４２と、把持部４２の厚みよりも薄く形成された薄肉部４４とを有する。把持部４２は、ベース部３２と薄肉部４４との接続部分を軸として所定角度回動可能に構成されている。
【００２５】
移動機構５０は、図４及び図７に示すように、ベース部３２の内部空間に配置されるバネ６０と、操作部７０と、操作部７０を針部１０に固定する固定部８０とを有する。
【００２６】
弾性部材としてのバネ６０は、例えば金属製のコイルバネであって、ベース部３２の内部空間に圧縮された状態で配置されている。バネ６０の先端側の端縁は、ベース部３２の先端側の内面に当接しており、バネ６０の基端側の端縁は、操作部７０の先端側の面と当接している（図１１（ｂ）参照）。
【００２７】
操作部７０は、図９Ａ〜図９Ｃに示すように、例えば円管状の連結部７２と、連結部７２の上方に配置された操作端７４とを有する。連結部７２の内面のうち先端側の内面は、連結部７２における他の部分に比べて小径化されている。また、当該小径化された部分の内面下方位置には、長手方向に沿った溝７３が設けられている。
【００２８】
操作端７４は、連結部７２の上方位置において、略Ｕ字状（略くの字状）の部材が横になるように配置された部材である。操作端７４の上方部分は、例えばレバー状（棒状）に形成されている。操作端７４の下方部分は、連結部７２に接続固定されているが、操作端７４の上方部分の先端側は、固定されておらず自由端となっている。操作端７４の上方部分の先端には、第１係合部３６及び第２係合部３８と係合可能な凸部７６が設けられている。凸部７６の平面形状は、第１係合部３６の開口形状と対応しており、例えば略四角形である。操作端７４の上方部分は、例えば、上方から力が加わると下方に撓むような弾性を有し、かつ、上方から力が加わらないときには、第１係合部３６との係合状態を維持するよう、その姿勢が保たれている（上向きに付勢されている）。
【００２９】
固定部８０は、図１０Ａ〜図１０Ｃに示すように、例えば円管状の部材であり、針部１０を挿通可能に構成されている。固定部８０の長手方向に沿った中央部には、鍔部８２が２つ並設されている。２つの鍔部８２の配置間隔（長手方向に沿った距離）は、連結部７２の小径化された部分の長さ（長手方向に沿った長さ）と同等となるように設定されている。鍔部８２の外径は、連結部７２の小径化された部分の内径よりも、若干大きくなるように設定されている。固定部８０の管外径は、連結部７２に挿入可能な寸法に設定されている。また、固定部８０の外面の下方には、連結部７２の溝７３に対応する突起８３が設けられており、溝７３と嵌合可能に構成されている。
【００３０】
湾曲部９０は、図９Ａ及び図９Ｃに示すように、操作端７４における上方部分の基端側（凸部７６の位置とは反対側）に接続されている。湾曲部９０は、例えばバナナ状（ノ字状）に、操作端７４の上方位置から垂れ下がるように湾曲しており、湾曲部９０に対して所定以上の力がかかると、さらに湾曲する（撓むように曲がる）ように構成されている。
【００３１】
また、カバー部３４における、湾曲部９０と対向する位置の内面形状は、図４に示すように曲面となっており、針部１０が第２位置に存在するときに、湾曲部９０とフィットする（適合する）ようになっている（図７参照）。
【００３２】
キャップ２０、ベース部３２、カバー部３４、翼部４０、操作部７０、固定部８０及び湾曲部９０は、プラスチック材料（例えば、ポリカーボネート、ポリプロピレンなど。）からなる。ベース部３２と翼部４０、及び操作部７０と湾曲部９０は、射出成形することによってそれぞれ一体成形されている。カバー部３４は、ベース部３２とは別体として成形された後、ベース部３２の基端側の開口に嵌合固定されている。
【００３３】
ここで、針部１０と移動機構５０との接続構造について、図１１Ａ及び図１１Ｂを用いて説明する。
【００３４】
まず、図１１Ａ及び図１１Ｂに示すように、針部１０と固定部８０とが、固定部８０に針部１０を通した状態で例えば接着剤を用いて接続固定されている。また、固定部８０には、操作部７０の連結部７２が挿通固定されている。このとき、固定部８０に設けられた２つの鍔部８２の間に、連結部７２の小径化された部分が位置するように配置されているとともに、連結部７２の溝部７３に対して固定部８０の突起８３を嵌合させている。これにより、連結部７２と固定部８０とを、長手方向及び回転方向の位置を合わせた状態で位置固定することができる。また、バネ６０は、固定部８０の外周面に配置されているが、針部１０及び固定部８０とは接触せず、操作部７０と接触するように配置されている。バネ６０は、例えば操作部７０の先端側の面に接着して固定してもよいし、接着等しないで装填してもよい。
【００３５】
次に、医療用針１の使用方法について説明する。
医療用針１を使用する際には、まず、図１に示すように、キャップ２０が装着された状態の医療用針１から、キャップ２０を取り外し、針先１４を露出させる（図２参照）。
そして、翼部４０の把持部４２を把持した状態で、患者の皮膚に針先１４を穿刺する。穿刺後は、必要に応じて、把持部４２を広げて把持部４２の上からテープ止めを行う。
【００３６】
患者の皮膚から針先１４を抜く際は、操作部７０の凸部７６を押下して、操作部７０（凸部７６）と第１係合部３６との係合を解除する。係合が解除された操作部７０は、バネ６０の作用によって針部１０とともに第１位置から第２位置へと移動し、患者の皮膚から針先１４が引き抜かれる。このとき、湾曲部９０の作用によって、湾曲部９０とカバー部３４との接触による衝撃が緩和され、衝突音の発生も抑制される。また、操作部７０の凸部７６が第２係合部３８と係合することによって、操作部７０における先端側への移動が規制される一方、湾曲部９０がカバー部３４と接触することによって、操作部７０における基端側への移動が規制されることから、操作部７０ひいては針部１０を、第２位置に確実に固定することが可能となる。
なお、患者の皮膚から針先１４を抜くにあたって、先に患者の皮膚から針先１４を抜いた後で、操作部７０の凸部７６を押下して、針部１０をケース３０内に収容してもよい。
【００３７】
以上のように構成された実施形態に係る医療用針１においては、針部１０が第２位置へと移動したときの、ケース３０と移動機構５０との接触による衝撃を和らげる緩衝機構（湾曲部９０）を備えているため、弾性部材（バネ６０）として比較的強い反発力を有するバネを用いたとしても、ケース３０と移動機構５０との接触による衝撃を緩和することができ、衝突音の発生を抑制することが可能となる。
すなわち、実施形態に係る医療用針１は、針先１４をケース３０内に確実に収容しつつ、使用者の不快感を軽減した医療用針となる。
【００３８】
実施形態に係る医療用針１においては、上述した湾曲部９０を用いているため、上述の優れた医療用針を、比較的簡易な構成で実現することができる。
【００３９】
実施形態に係る医療用針１においては、図７に示すように、湾曲部９０がカバー部３４と接触して湾曲すると、湾曲部９０と操作端７４との接続部分（図９Ａに示す符号Ｐの部分）が支点となって、湾曲部９０とは反対側に位置する凸部７６が、上方に向けて変位してベース部３２の内面により近付く（第２係合部３８にさらに食い込む）こととなる。すなわち、凸部７６と第２係合部３８とがより強固に係合し合うことから、操作部７０ひいては針部１０を、より確実に第２位置に固定することが可能となる。
【００４０】
実施形態に係る医療用針１においては、使用者が直接手で触れることができないベース部３２の内面に、第２係合部３８が設けられているため、誤刺が発生するリスクをさらに低減することが可能となる。
【００４１】
なお、本発明は上記実施形態に例示したものに限定されるものではなく、本発明の要旨を逸脱しない範囲において種々の態様において実施することが可能であり、例えば次のような変形も可能である。
【００４２】
上記実施形態においては、湾曲部９０が、操作部７０の基端側に配置されている場合を例示して説明したが、本発明はこれに限定されるものではない。例えば、図１２Ａ及び図１２Ｂに示すように、湾曲部９０Ａが、ケース３０Ａにおけるカバー部３４Ａの内面であって、操作部７０と対向する位置に設けられていてもよいし、図示による説明は省略するが、針部における基端側の位置に設けられていてもよい。また、移動機構とケースの双方の対向部に、湾曲部が設けられていてもよい。
【００４３】
上記実施形態においては、湾曲部９０の形状が、バナナ状（ノ字状）に湾曲したものを例示して説明したが、本発明はこれに限定されるものではない。湾曲部として、例えば山状、谷状、波状等、バナナ状以外の形状に屈曲する部材を用いてもよいし、蛇腹上に折り畳まれる部材を用いてもよい。また、湾曲部に代えて、例えば、コイルバネや板バネ等のバネ、ゴム、スポンジ、クッション材等の弾性部材（他の弾性部材）を用いてもよい。
【００４４】
上記実施形態においては、針部１０が金属材料で構成されている場合を例示して説明したが、本発明はこれに限定されるものではなく、例えば樹脂材料からなる針等、金属材料以外の材料からなる針を用いてもよい。
【００４５】
上記実施形態においては、ケース３０におけるベース部３２とカバー部３４とが、別体として成形されている場合を例示して説明したが、本発明はこれに限定されるものではなく、ベース部とカバー部が一体として成形されていてもよい。
【００４６】
上記実施形態においては、第１係合部３６が、ベース部３２の内部空間と連通する角孔である場合を例示して説明したが、本発明はこれに限定されるものではない。操作部と係合可能であれば、他の形状を採用してもよい。第２係合部３８についても同様に、操作部と係合可能であれば、段差以外の形状を採用してもよい。
【００４７】
上記実施形態においては、操作部７０の操作端７４が、略Ｕ字状（略くの字状）の部材である場合を例示して説明したが、本発明はこれに限定されるものではなく、例えばＩ字状（棒状）等、他の形状を採用してもよい。操作端７４の上方部分についても同様に、レバー状（棒状）以外の形状を採用してもよい。
【００４８】
上記実施形態においては、移動機構５０のバネ６０（弾性部材）としてコイルバネを用いるとともに、当該コイルバネが操作部７０の先端側に配置されている場合を例示して説明したが、本発明はこれに限定されるものではない。例えば、引きバネが操作部の基端側に配置されていてもよい。また、バネに代えて、ゴム等を用いてもよい。
【００４９】
上記実施形態においては、患者の皮膚に穿刺した状態で固定して使用される翼付針を例示して説明したが、本発明はこれに限定されるものではない。例えば、持続的な点滴静注を行う際に用いられる留置針等にも、本発明を適用可能である。
【００５０】
上記実施形態においては、使用者が誤って凸部７６を押下しないために、キャップ２０を装着した際、キャップ２０によって凸部７６が覆われるように構成されていたが、本発明はこれに限定されるものではない。例えば、図１３Ａ及び図１３Ｂに示すように、キャップ２０Ｂの開口端に棒状の差込部２２Ｂが設けられており、ケース３０Ｂの差込口３９を介して、凸部７６の下に形成される空間７７に差込部２２Ｂを挿入できるように構成されていてもよい。図１３Ａに示すように、空間７７に差込部２２Ｂを挿入した状態では、凸部７６の下方向への移動が規制されるため、使用者が誤って凸部７６を押下したとしても凸部７６と第１係合部３６との係合は解除されず、操作部７０が第１位置から第２位置へと移動することはない。一方、針部１０をケース３０Ｂ内に収容したいときには、図１３Ｂに示すように、空間７７から差込部２２Ｂを抜き取ることにより、凸部７６の下方向への移動規制が解除され、上述した医療用針１と同様の方法で使用することができる。なお、差込部２２Ｂの形状は、棒状に限定されず、例えば板状であってもよい。
【符号の説明】
【００５１】
１，１Ａ，１Ｂ  医療用針
１０  針部
２０，２０Ｂ  キャップ
３０，３０Ａ，３０Ｂ  ケース
３６  第１係合部
３８  第２係合部
４０  翼部
５０  移動機構
６０  バネ
７０  操作部
８０  固定部
９０，９０Ａ  湾曲部
【図１】
2019155097.tif 000003
【図２】
2019155097.tif 000004
【図３】
2019155097.tif 000005
【図４】
2019155097.tif 000006
【図５】
2019155097.tif 000007
【図６】
2019155097.tif 000008
【図７】
2019155097.tif 000009
【図８】
2019155097.tif 000010
【図９】
2019155097.tif 000011
【図１０】
2019155097.tif 000012
【図１１】
2019155097.tif 000013
【図１２】
2019155097.tif 000014
【図１３】
2019155097.tif 000015